(57)【要約】      （修正有）【課題】キャップの上面から偶発的に外力が加わった場合においても、キャップとスパウトとを連結している環状薄肉部の破断が有効に防止されたキャップ一体型注出具を提供する。【解決手段】スパウト１と、スパウト１と一体に形成されたキャップ３とからなるキャップ一体型注出具において、キャップ３は、外面にスパウト１との螺子係合用螺条を有する筒状螺子体１３と、筒状螺子体１３の上端を閉じるように形成されている水平基板１５と、水平基板１５に一体的に形成されている直立板状の摘み板１７とからなり、筒状螺子体１３の下端部外面は、環状薄肉部によって筒状本体５の上端部内面に一体に接合されており、摘み板１７の両側部分は、それぞれ、筒状螺子体１３の外面とは間隔を置いて下方に延びており、その下端部内面は、破断可能なブリッジ２１を介して、筒状本体５の上端部外面に一体に接合されている。【選択図】図１
2008056271.tif 000002
【特許請求の範囲】
【請求項１】
容器口部に固定されるスパウトと、該スパウトと一体に形成されたキャップとからなるキャップ一体型注出具において、
前記スパウトは、内部に容器内容液の注出路となる空間が貫通している筒状本体と、該筒状本体の外面の中間部分から外方に張り出した板状フランジと、前記筒状本体の外面で且つ該板状フランジの下方に位置する部分に形成された容器壁との接合部とからなり、
前記キャップは、外面に前記スパウトとの螺子係合用螺条を有する筒状螺子体と、該筒状螺子体の上端を閉じるように形成されている水平基板と、該水平基板に一体的に形成されている直立板状の摘み板とからなり、前記筒状螺子体の下端部外面は、環状薄肉部によって前記スパウトの筒状本体の上端部内面に一体に接合されており、前記摘み板の両側部分は、それぞれ、前記筒状螺子体の外面とは間隔を置いて下方に延びており、その下端部内面は、破断可能なブリッジを介して、前記スパウトの筒状本体の上端部外面に一体に接合されており、
前記摘み板を把持して前記環状薄肉部及びブリッジを引き裂くことにより前記キャップをスパウトから切り離すことにより容器内容物の注ぎ出しが行われ、スパウトから切り離されたキャップは、前記筒状螺子体をスパウトの筒状本体の上部に位置せしめ、前記摘み板を閉栓方向に旋回させることにより、該筒状螺子体外面の螺条と該筒状本体内面の螺条とが螺子係合して前記スパウトをリシールするものであることを特徴とするキャップ一体型注出具。
【請求項２】
前記スパウトの板状フランジの上面には、キャップの閉栓方向への旋回を阻止するためのストッパーとなるリブが形成されており、前記キャップのリシールに際して、前記キャップの摘み板の下端が前記リブと当接することにより、該リシールのためのキャップの閉栓方向への過剰な旋回を阻止する請求項１に記載のキャップ一体型注出具。
【請求項３】
前記キャップの筒状螺子体の外面の上方部分には環状突起が形成されており、この環状突起の下側から前記スパウトとの螺子係合用螺条が下方に延びており、前記スパウトの筒状本体内面の螺条の上端部が、前記環状突起の下端と筒状螺子体外面の螺条上端部分に当接することにより、前記リシールのための閉栓方向への旋回を阻止する請求項２に記載のキャップ一体型注出具。
【発明の詳細な説明】
【技術分野】
【０００１】
本発明は、袋状の容器の口部に接着固定されるスパウトがキャップと一体に形成されているキャップ一体型注出具に関する。
【背景技術】
【０００２】
プラスチックフィルムやアルミ箔などから形成された袋状容器は、古くから各種用途に使用されている。このような袋状容器は、従来は、袋の端部を引き裂くことにより開口を形成し、この開口を通して内容物を取り出すように構成されていることが多かったが、最近では、このような袋状容器には、スパウトと呼ばれるプラスチック製の注出具が設けられて使用されるようになってきた。即ち、この注出具は、両端開口の筒状体からなり、その上端部（口部）をアルミ箔などのシール部材でシールし、下方部分には、袋状容器の口部がシールされた構造を有している。このような注出具を用いた場合には、袋状の容器を引き裂くことなく、スパウトの開口をシールしているシール部材を引き剥がすことにより、内容物注出用の開口が形成されるため、直接内容液を喫飲することができるようになり、各種飲料などの用途に好適となる。また、開口部に着脱自在に蓋を設けておけば、シール部材を引き剥がした後もリシールすることが可能となり、このため、各種調味料などの容器や各種薬液、輸液などを収容した医療用容器としても使用することが可能である。
【０００３】
一方、上記のようなスパウトの開口部に螺子キャップを設けた注出具も知られている。このような螺子キャップを設けたものは繰り返しリシールすることができ、実用性に優れている。
【０００４】
しかしながら、上記のような螺子キャップを設けた注出具は、スパウトとキャップとの２ピース製であるため、生産ラインの複雑化、コスト高などの問題がある。また、螺子キャップには、開封履歴を証明するためのタンパーエビデントバンド（ＴＥバンド）が設けられるため、生産ラインの一層の複雑化がもたらされている。
【０００５】
上記のような問題を解決するために、例えば特許文献１には、キャップとスパウトとが一体化されたキャップ一体型注出具が提案されている。
【特許文献１】特開２００２−２９５５２号
【発明の開示】
【発明が解決しようとする課題】
【０００６】
特許文献１の注出具は、スパウトの筒状本体の上端部に、筒状螺子体を有するキャップを設けたものであり、筒状螺子体の下端の外面が、スパウトの筒状本体の上端内面に環状薄肉部を介して一体的に連なっている構造を有している。即ち、キャップの筒状螺子体の外面には、スパウトの筒状本体の内面に形成されている螺条と螺子係合する螺条が形成されており、キャップを回転させて環状薄肉部を引き裂くことによりキャップをスパウトから切り離し、これにより容器内容液の注ぎ出しが行われ、スパウトから切り離されたキャップは、スパウトの筒状体に螺子装着できるため、繰り返し、リシールに供することができる。また、このキャップには、ＴＥバンドのような格別の部材を設けていないが、環状薄肉部の破断により、一旦開封されたものであることを認識することができ、ＴＥ性も有している。
【０００７】
しかしながら、特許文献１の注出具は、垂直荷重に対する耐性が低く、キャップの上面から偶発的に外力が加わった場合、キャップとスパウトとを連結している環状薄肉部が破断してしまい、シール性が損なわれてしまうという欠点がある。
【０００８】
また、キャップを回転させることにより環状薄肉部を引き裂く構造となっているため、キャップ及びスパウトは、比較的軟質の樹脂から形成される。剛性の樹脂から形成すると、環状薄肉部の引き裂きが困難となってしまうからである。この結果、スパウトから切り離されたキャップをリシールする際、キャップの筒状螺子体が旋回しながら最下方にまで降下したとき、該キャップの回転が停止せず、空回り（所謂、オーバーターン）してしまうという欠点もある。このようなオーバーターンは、使用者に閉塞感を与えないばかりか、このようなオーバーターンが繰り返されると、螺子係合が甘くなってしまい、リシール性が低下してしまうこともある。
【０００９】
従って、本発明の目的は、垂直荷重に対する耐性が高く、キャップの上面から偶発的に外力が加わった場合においても、キャップとスパウトとを連結している環状薄肉部の破断が有効に防止されたキャップ一体型注出具を提供することにある。
本発明の他の目的は、リシール時のキャップのオーバーターンも有効に防止されたキャップ一体型注出具を提供することにある。
【課題を解決するための手段】
【００１０】
本発明によれば、容器口部に固定されるスパウトと、該スパウトと一体に形成されたキャップとからなるキャップ一体型注出具において、
前記スパウトは、内部に容器内容液の注出路となる空間が貫通している筒状本体と、該筒状本体の外面の中間部分から外方に張り出した板状フランジと、前記筒状本体の外面で且つ該板状フランジの下方に位置する部分に形成された容器壁との接合部とからなり、
前記キャップは、外面に前記スパウトとの螺子係合用螺条を有する筒状螺子体と、該筒状螺子体の上端を閉じるように形成されている水平基板と、該水平基板に一体的に形成されている直立板状の摘み板とからなり、前記筒状螺子体の下端部外面は、環状薄肉部によって前記スパウトの筒状本体の上端部内面に一体に接合されており、前記摘み板の両側部分は、それぞれ、前記筒状螺子体の外面とは間隔を置いて下方に延びており、その下端部内面は、破断可能なブリッジを介して、前記スパウトの筒状本体の上端部外面に一体に接合されており、
前記摘み板を把持して前記環状薄肉部及びブリッジを引き裂くことにより前記キャップをスパウトから切り離すことにより容器内容物の注ぎ出しが行われ、スパウトから切り離されたキャップは、前記筒状螺子体をスパウトの筒状本体の上部に位置せしめ、前記摘み板を閉栓方向に旋回させることにより、該筒状螺子体外面の螺条と該筒状本体内面の螺条とが螺子係合して前記スパウトをリシールするものであることを特徴とするキャップ一体型注出具が提供される。
【００１１】
本発明のキャップ一体型注出具においては、
（１）前記スパウトの板状フランジの上面には、キャップの閉栓方向への旋回を阻止するためのストッパーとなるリブが形成されており、前記キャップのリシールに際して、前記キャップの摘み板の下端が前記リブと当接することにより、該リシールのためのキャップの閉栓方向への過剰な旋回を阻止すること、
（２）前記キャップの筒状螺子体の外面の上方部分には環状突起が形成されており、この環状突起の下側から前記スパウトとの螺子係合用螺条が下方に延びており、前記スパウトの筒状本体内面の螺条の上端部が、前記環状突起の下端と筒状螺子体外面の螺条上端部分に当接することにより、前記リシールのための閉栓方向への旋回を阻止すること、
が好ましい。
【発明の効果】
【００１２】
本発明によれば、キャップとスパウトとが一体に形成されているため、一段の成形で製造することができ、２ピース製のものに比して、生産ラインが簡便である、量産に適しており、生産コストも安価である。
【００１３】
また、キャップの筒状螺子体が環状薄肉部を介してスパウトの筒状本体に連なっているとともに、キャップの摘み板がスパウトの筒状本体にブリッジを介して連なっている構造を有している。このため、環状薄肉部のみによりキャップとスパウトとが連なっている従来公知のキャップ一体型注出具に比して、垂直荷重に対する耐性が高く、キャップの上面から偶発的に外力が加わった場合における環状薄肉部の破断が有効に防止できる。
【００１４】
本発明においては、キャップをスパウトから切り離して容器内容液の注出を行うときには、前記環状薄肉部及びブリッジが必ず破断しているため、これにより、一旦、シールが開放された事実を認識することができ、ＴＥ性も有している。
【００１５】
さらに、本発明のキャップ一体型注出具においては、スパウトの板状フランジの上面には、キャップの過剰な閉栓方向への旋回を阻止するためのストッパーとなるリブが形成することができ、このようなリブを設けることにより、キャップのリシールに際して、前記キャップの摘み板の下端が前記リブと当接することにより、キャップのオーバーターンを確実に防止し、また使用者には、閉栓が完了したという閉塞感を与えることができる。
【発明を実施するための最良の形態】
【００１６】
本発明を、以下、本発明を添付図面に基づいて詳細に説明する。
図１は、本発明のキャップ一体型注出具の正面図であり、
図２は、図１のキャップ一体型注出具の側断面図であり、
図３は、図１のキャップ一体型注出具の上面図であり、
図４は、図１のキャップ一体型注出具の下面図であり、
図５は、図１のキャップ一体型注出具のキャップをリシールした状態を示す半断面正面図であり、
図６は、図５の状態におけるキャップ一体型注出具の上面図である。
【００１７】
図１乃至図４を参照して、本発明のキャップ一体型注出具は、全体として１で示すスパウトと、このスパウト１と一体に成形されているキャップ３とから成っている。
【００１８】
スパウト１は、筒状本体５と、筒状本体５の外面の中間部分から外方に張り出した板状フランジ６と、筒状本体５の外面で且つ板状フランジ６の下方に位置する部分に形成された接合部７とを有している。
【００１９】
筒状本体５は、内部に、容器内容液注出用の貫通路５ａを有しており、さらに、筒状本体５の内面の上方部分には、キャップ３との螺子係合用の螺条９が形成されている。
【００２０】
また、接合部７は、板状フランジ６の下面に連なり且つ筒状本体５の外面から外方に張り出した一対の側壁板１０，１０を有しており、この一対の側壁板１０，１０は、図４の下面図に示されているように、筒状本体５の径方向外方に一直線上になるように延びており、且つ側壁板１０，１０の付け根部分は、比較的厚肉に形成され、その付け根部の外面は、筒状本体５の外面と滑らかに連なる曲面となっている。即ち、この側壁板１０，１０の外面及び筒状本体５の外面（板状フランジ６の下側）において、袋状の容器壁（図示せず）がヒートシール等により溶着されて接合される構造となっている。
【００２１】
尚、図４及び図２から理解されるように、側壁板１０，１０の付け根部には、肉抜きによる孔部１０ａが形成されており、このような孔部１０ａを設けることにより、成形時のひけを防止し、側壁部１０，１０から筒状本体５の外面にかけて滑らかな曲面を形成することができ、容器壁との溶着を有効に行うことができる。
【００２２】
また、上記のように容器壁が溶着される板状フランジ６の下側には、筒状本体５の外面に、水平方向に延びている水平リブ１１が複数形成されている。この水平リブ１１の側端部に容器壁を密着させた状態で外部から圧力を加えることにより容器壁を筒状本体５の外面に強固に且つぴったりと溶着させることが出来る。従って、容器壁が筒状本体５の外面に溶着された状態では、この水平リブ１１はつぶれた状態となっている。
【００２３】
本発明において、キャップ３は、筒状螺子体１３と、筒状螺子体１３の上端を閉じるように形成されている水平基板１５と、水平基板１５に一体的に形成されている直立板状の摘み板１７とからなっている。
【００２４】
筒状螺子体１３は、前述したスパウト１の筒状本体５の内径よりも若干小さな外形を有するものであり、その内部空間がスパウト１の筒状本体５の内部空間５ａと連通するように筒状本体５の上部に配置されており、筒状螺子体１３の下端部の外面が破断可能な環状の薄肉部（スコア）１９によって、筒状本体５の上端部分内面に一体に連結されている。また、筒状螺子体１３の外面には、前述した筒状本体５の内面に形成されている螺条９と螺子係合する螺条２０が形成されている。
【００２５】
図１及び図２から明らかなように、水平基板１５から立ち上がっている摘み板１７の両側部分は、それぞれ、筒状螺子体１３の外面とは間隔を置いて下方に延びており、その下端部内面は、破断可能なブリッジ２１を介して、スパウト１の筒状本体５の上端部外面に一体に連結されている。
【００２６】
即ち、本発明のキャップ一体型注出具においては、キャップ３が、環状薄肉部１９とブリッジ２１との両方でスパウト１に連結された構造となっている。従って、垂直荷重に対する耐性が高く、キャップ３の上方から偶発的に圧力が加わったときに、ブリッジ２１によって強度が補強されているため、環状薄肉部１９の破断が有効に防止され、環状薄肉部１９の破断によるシール破壊を有効に回避することが可能となっている。
【００２７】
上述した本発明のキャップ一体型注出具は、上記の摘み板１７を手で持ってキャップ３を回転又は折り曲げ等により、環状薄肉部１９及びブリッジ２１を破断し、キャップ３をスパウト１から切り離し、この状態で容器内容液の注ぎ出しを行うことができる。また、環状薄肉部１９及びブリッジ２１の破断により、スパウト１からキャップ３が切り離された事実を認識することができ、これにより、ＴＥ性を確保することができる。
【００２８】
スパウト１から切り離されたキャップ３は、スパウト１の上部に置き、摘み板１７を手で持って閉栓方向に旋回させていくことにより、図５及び図６に示すように、筒状螺子体１３の外面の螺条２０と筒状本体５の内面の螺条９とを螺子係合させてのリシールに用いることができる。
【００２９】
本発明においては、スパウト１の板状フランジ６の上面に、一対の線状のリブ２３，２３が設けられている。このリブ２３，２３は、筒状本体５の径方向直線に対して、若干、摘み板１７の閉栓方向側にずれて位置しており（図６参照）、キャップ３のリシールに際して、筒状螺子体１３が最降下位置に位置したときに、摘み板１７の下端部分がリブ２３の側面に当接し、摘み板１７のさらなる閉栓方向への回転を阻止するストッパーとしての機能を有する。これにより、リシール時に使用者に閉塞感を与えると同時に、キャップ３（筒状螺子体１３）のオーバーターンを防止することができる。
【００３０】
また、図１に示されているように、本発明においては、キャップ３の筒状螺子体１３の外面の上端部分に環状突起２５が設けられており、筒状螺子体１３の外面に形成されている螺条２０の上端は、環状突起２５の下側に連なって位置している。即ち、このような環状突起２５を設けることにより、リシール時に筒状螺子体１３が最降下位置に位置したときには、筒状本体５の内面に形成されている螺条９の上端９ａが環状突起２５の下面及び筒状螺子耐３の螺条２０の上端部分に当接し、キャップ３（筒状螺子体１３）のオーバーターンを一層確実に防止することができる。
【００３１】
上述した本発明のキャップ一体型注出具は、成形性や容器壁との溶着性（ヒートシール性）や環状薄肉部１９の引き裂き性などの観点から、各種のオレフィン樹脂、例えば低−、中−、或いは高密度ポリエチレン、線状低密度ポリエチレン、アイソタクティックポリプロピレン、シンジオタクティックポリプロピレン、ポリ１−ブテン、ポリ４−メチル−１−ペンテンあるいはエチレン、プロピレン、１−ブテン、４−メチル−１−ペンテン等のα−オレフィン同志のランダムあるいはブロック共重合体、エチレン−酢酸ビニル共重合体、エチレン−（メタ）アクリル酸共重合体、エチレン−(メタ)アクリル酸エステル共重合体、イオン架橋オレフィン共重合体（アイオノマー）などのうち、特に軟質のものを用いての一体成形により形成される。例えば、図１に示す形状に射出成形等によって成形することにより、容易に製造することができる。
【００３２】
本発明のキャップ一体型注出具は、キャップとスパウトとが一体に成形されたワンピース製であるため、生産性が高く、また安価に製造することができ、垂直荷重に対する耐性が高く、外部からの圧力によるシール破壊が有効に防止されている。また、スパウトから切り離したキャップをリシールに使用することができ、リシール時におけるキャップのオーバーターンを有効に防止し且つ使用者に閉塞感を与えることができる。
【図面の簡単な説明】
【００３３】
【図１】本発明のキャップ一体型注出具の正面図。
【図２】図１のキャップ一体型注出具の側断面図。
【図３】図１のキャップ一体型注出具の上面図。
【図４】図１のキャップ一体型注出具の下面図。
【図５】図１のキャップ一体型注出具のキャップをリシールした状態を示す半断面正面図。
【図６】図５の状態におけるキャップ一体型注出具の上面図。
【符号の説明】
【００３４】
１：スパウト
３：キャップ
５：筒状本体
６：板状フランジ
１３：筒状螺子体
１７：摘み板
１９：環状薄肉部
２１：ブリッジ
【図１】
2008056271.tif 000003
【図２】
2008056271.tif 000004
【図３】
2008056271.tif 000005
【図４】
2008056271.tif 000006
【図５】
2008056271.tif 000007
【図６】
2008056271.tif 000008